【手続補正書】
【提出日】平成26年5月12日(2014.5.12)
【手続補正１】
【補正対象書類名】特許請求の範囲
【補正対象項目名】全文
【補正方法】変更
【補正の内容】
【特許請求の範囲】
【請求項１】
近位部分と、中間部分と、遠位部分と、湾曲した上面と、湾曲した下面と、挿入セクションの前記近位端部から前記中間部分の少なくとも一部を通って延在し、内部下面を有するチャネルとを有する喉頭鏡挿入セクションにおいて、前記内部下面の曲率が前記中間部分の前記下面の曲率よりも大きく、
前記下面と前記上面との間の距離が前記中間部分内で最大である、喉頭鏡挿入セクション。
【請求項２】
前記チャネルの曲率が前記上面の曲率と実質的に等しい、請求項１に記載の喉頭鏡挿入セクション。
【請求項３】
前記中間部分および前記遠位部分の前記下面の曲率が、前記中間部分と前記遠位部分との間の領域における前記下面の曲率によって超えられない、請求項１または請求項２に記載の喉頭鏡挿入セクション。
【請求項４】
前記下面の曲率が下面の半径によって定義され、および前記上面の曲率が上面の半径によって定義され、前記上面の半径が前記下面の半径よりも小さい、請求項１〜３のいずれか１項に記載の喉頭鏡挿入セクション。
【請求項５】
前記下面の曲率が下面の半径によって定義され、および前記内部下面の曲率が内部下面の半径によって定義され、前記内部下面の半径が前記下面の半径よりも小さい、請求項１〜４のいずれか１項に記載の喉頭鏡挿入セクション。
【請求項６】
アパーチャが、前記下面と前記上面との間で前記中間部分を通って延在し、または凹部が、前記下面と前記チャネルとの間で前記中間部分を通る経路のほとんどに延在する、請求項１〜５のいずれか１項に記載の喉頭鏡挿入セクション。
【請求項７】
前記アパーチャまたは前記凹部が細長く、および前記下面に実質的に平行な内部上面を有する、請求項６に記載の喉頭鏡挿入セクション。
【請求項８】
前記チャネルに強化部材が設けられている、請求項１〜７のいずれか１項に記載の喉頭鏡挿入セクション。
【請求項９】
前記中間部分に強化要素が設けられている、請求項１〜８のいずれか１項に記載の喉頭鏡挿入セクション。
【請求項１０】
アパーチャが、前記下面と前記上面との間で前記中間部分および前記強化要素を通って延在する、請求項８または請求項９に記載の喉頭鏡挿入セクション。
【請求項１１】
前記チャネルに、カメラ、光源、光導波路、強化部材、画像取込装置、ガス供給装置の１つ以上が設けられる、請求項１〜１０のいずれか１項に記載の喉頭鏡挿入セクション。
【請求項１２】
前記下面が、その長さの全てまたはかなりの部分に沿って前記上面を越えて横方向に延在する、請求項１〜１１のいずれか１項に記載の喉頭鏡挿入セクション。
【請求項１３】
少なくとも１つのバトレスが、前記下面および前記下面の外縁から離れるように横方向に延在する、請求項１２に記載の喉頭鏡挿入セクション。
【請求項１４】
湾曲した上面と、外縁を有する、湾曲した下面とを有する喉頭鏡挿入セクションであって、前記下面が、凹状の横方向曲率を有し、および前記下面に力が加えられていないときに、前記下面の前記外縁から前記上面の方に向かって傾斜している、請求項１〜１３のいずれか１項に記載の喉頭鏡挿入セクション。
【請求項１５】
前記近位部分の前記上面の曲率が、前記中間部分の前記上面の曲率と同じまたは実質的に同じである、請求項１〜１４のいずれか１項に記載の喉頭鏡挿入セクション。
【請求項１６】
本体部分と、それに解放可能に固定された、請求項１〜１５のいずれか１項に記載の喉頭鏡挿入セクションとを含む喉頭鏡。
【請求項１７】
本体部分および喉頭鏡挿入セクションを含む喉頭鏡であって、前記喉頭鏡挿入セクションは、前記喉頭鏡本体に接続された近位部分と、中間部分と、遠位部分とを有し、湾曲した上面と、湾曲した下面と、前記喉頭鏡挿入セクションの前記近位端部から前記中間部分の少なくとも一部を通って延在し、内部下面を有するチャネルとを有し、前記内部下面の曲率が前記下面の曲率よりも大きく、および前記下面と上面との間の距離が、前記中間部分内で最大となる、喉頭鏡。
【請求項１８】
前記近位部分が、前記喉頭鏡挿入セクションを前記喉頭鏡本体に解放可能に固定する係合構造を含む、請求項１７に記載の喉頭鏡。
【請求項１９】
前記チャネルに、カメラ、光源、光導波路、強化部材、画像取込装置、ガス供給装置のうちの１つ以上が設けられる、請求項１７または請求項１８に記載の喉頭鏡。
【請求項２０】
前記本体から延出するハードウェア含有部材を含み、前記ハードウェア含有部材が前記チャネル内に摺動式に収容され、
前記ハードウェア含有部材が強化部材として機能し、
前記ハードウェア含有部材が、カメラ、光源、光導波路、強化部材、画像取込装置、ガス供給装置のうちの１つ以上または全てを含む、請求項１７〜１９のいずれか１項に記載の喉頭鏡。
【請求項２１】
前記喉頭鏡挿入セクションの少なくとも前記中間部分に強化要素が設けられ、
アパーチャが、前記下面と前記上面との間で前記中間部分を通って延在し、および前記強化要素の少なくとも一部が前記下面と前記アパーチャとの間に延在する、請求項１６〜２０のいずれか１項に記載の喉頭鏡。
【請求項２２】
喉頭鏡本体と、前記喉頭鏡本体に解放可能に接続するための近位部分、中間部分、および遠位部分を有し、湾曲した上面および湾曲した下面、および前記挿入セクションの前記近位端部から前記中間部分の少なくとも一部を通って延在し、内部下面を有するチャネルを有する喉頭鏡挿入セクションとを含むキットであって、前記内部下面の曲率が前記下面の曲率よりも大きく、
前記下面と前記上面との間の距離が前記中間部分内で最大となる、キット。
【請求項２３】
曲率が異なる複数の喉頭鏡挿入セクションの下面を含むが、同じ曲率の内部下面を備えるチャネルを有する、請求項２２に記載のキット。
【請求項２４】
湾曲した上面と、湾曲した下面と、前記喉頭鏡挿入セクションの長さの少なくとも一部を通って延在し、内部下面を有するチャネルとを有する喉頭鏡挿入セクションであって、少なくとも１箇所において、前記チャネルの前記内部下面と、前記チャネルの直接下方にある前記下面との間の距離が、２ｍｍを上回る、喉頭鏡挿入セクション。
【手続補正２】
【補正対象書類名】明細書
【補正対象項目名】０００１
【補正方法】変更
【補正の内容】
【０００１】
本発明は、喉頭鏡挿入セクションの分野、特に喉頭鏡のハードウェアを収容するように適合された、または一回使用もしくは限定回数使用の喉頭鏡と一体式の、一回使用もしくは限定回数使用の喉頭鏡挿入セクションに関する。
【手続補正３】
【補正対象書類名】明細書
【補正対象項目名】００７３
【補正方法】変更
【補正の内容】
【００７３】
第１または第２の態様による喉頭鏡挿入セクションは、使い捨て可能とし、または限定回数使用または一回使用に適合されている。挿入セクションは、例えば使えなくする（ｓｐｏｉｌｉｎｇ）手段を含んでもよい。
【手続補正４】
【補正対象書類名】明細書
【補正対象項目名】０１０５
【補正方法】変更
【補正の内容】
【０１０５】
それゆえ、好ましくは、下面は、下面の１つの外縁から下面の他の外縁の方へ角度が付けられる。下面は、好ましくは横方向に凸状となっている。
【手続補正５】
【補正対象書類名】明細書
【補正対象項目名】０１２１
【補正方法】変更
【補正の内容】
【０１２１】
それゆえ、挿入セクションは、患者の口蓋の周りで湾曲する個所において、使用中に患者の歯を越えて延在する個所よりも薄い。
【手続補正６】
【補正対象書類名】明細書
【補正対象項目名】０１５６
【補正方法】変更
【補正の内容】
【０１５６】
図１〜７に示す挿入セクションのチャネルの横断面はほぼ正方形であり、かつチャネルの長さに沿って一定である。代替的な実施形態では、チャネルは、チャネルの長さに沿って変化する横断面を備えてもよいし、または形状が異なる横断面を備えてもよい（例えば横断面１１０、１１２、１１４、１１６および１１８）。
【手続補正７】
【補正対象書類名】明細書
【補正対象項目名】０１５９
【補正方法】変更
【補正の内容】
【０１５９】
図８は、線ａ（図４）を通る挿入セクション１００の別の図を示す。下面は、従来の挿入セクションと比較して横方向曲率がわずかである。横方向曲線１５０の頂点（下面の横方向中間点における）は、上面の外縁２５の方へ角度が付けられた接線１６０を有する。
【手続補正８】
【補正対象書類名】明細書
【補正対象項目名】０１６０
【補正方法】変更
【補正の内容】
【０１６０】
従来の挿入セクションのように、使用中に力が加えられて挿入セクションが曲がると、下面の外縁２３は、位置２４で示すように上面の方へ向かう。横方向曲率の頂点は、位置１５２の方に外側へ広がり、下面は、下面の中間点の接線１６２によって示すように、上面にほぼ平行に延在し、かつ、挿入セクションが曲げられると下面の横方向曲率は、小さくなる。
【手続補正９】
【補正対象書類名】明細書
【補正対象項目名】０１８４
【補正方法】変更
【補正の内容】
【０１８４】
挿入セクションの中間部分において、下面の曲率半径（ｒ１）は上面の曲率半径（ｒ２）よりも大きい。ｙ１もｙ２よりも大きく、およびｘ２はｘ１よりも大きい。それゆえ、挿入セクションは、患者の口蓋に延在する箇所で厚みがある。下面の曲率が比較的漸進的である結果、使用者は直視および間接視の双方を得ることが可能である。